(57)【要約】【課題】登録を承認している通信相手ユーザの自己情報のデータベース構築を省力化できる通信相手ユーザの自己情報登録方法を提供する。【解決手段】自己情報管理ノード３は、複数ユーザＡ〜Ｃ毎に自己情報（電話番号と個人情報）および通信相手ユーザの自己情報を管理する。例えば、ユーザＡの移動機２ＡからのメモリダイヤルリストＡに含まれる登録要求対象ユーザＢを検索する。ユーザＢが、逆に、検索を要求したユーザＡを、登録承認対象ユーザ（メモリダイヤルリストＢに含まれる）であると判定したときは登録を承認し、このユーザＢの自己情報Ｂを収集し、ユーザＡに対する通信相手ユーザの自己情報として、メモリダイヤルデータベースＡ（Ｎ）に登録して記憶し、自己情報を相互交換する。【選択図】  図１
2004274658.tif 000002
【特許請求の範囲】
【請求項１】
複数の各ユーザの通信端末と、該ユーザ毎に、該ユーザのユーザ選択情報を含む自己情報と、通信相手ユーザのユーザ選択情報を含む通信相手ユーザの自己情報を登録して記憶する自己情報管理ノード、を有する通信ネットワークで実行される通信相手ユーザの自己情報登録方法であって、
前記各ユーザの通信端末は、登録要求対象ユーザを指定した登録要求と登録承認対象ユーザを指定した登録承認を前記自己情報管理ノードに送信し、
前記自己情報管理ノードは、前記各ユーザの通信端末から前記登録要求と前記登録承認を受信し、
あるユーザの通信端末から受信した登録要求により指定された登録要求対象ユーザに関し、当該登録要求対象ユーザの通信端末から受信した登録承認により指定された登録承認対象ユーザ中に前記あるユーザが含まれていたときは、登録承認し、当該登録要求対象ユーザの自己情報を、前記あるユーザに関し、前記通信相手ユーザの自己情報として登録して記憶し、前記登録承認対象ユーザ中に前記あるユーザが含まれていなかったときは、登録拒否し、当該登録要求対象ユーザの自己情報を登録しない、
ことを特徴とする通信相手ユーザの自己情報登録方法。
【請求項２】
前記登録要求と前記登録承認とは一つのものであり、前記登録要求対象ユーザと前記登録承認対象ユーザとは同一ユーザである、
ことを特徴とする請求項１に記載の通信相手ユーザの自己情報登録方法。
【請求項３】
前記各ユーザの通信端末は、それぞれ、着信した通信相手のユーザと発信した通信相手のユーザを記憶しており、
前記登録要求対象ユーザ、前記登録承認対象ユーザは、それぞれ、前記着信した通信相手のユーザ、前記発信した通信相手のユーザである、
ことを特徴とする請求項１に記載の通信相手ユーザの自己情報登録方法。
【請求項４】
顧客情報管理ノードを有し、
該顧客情報管理ノードは、前記ユーザ毎に該ユーザのユーザ選択情報を含むに自己情報を記憶し、
前記自己情報管理ノードは、前記顧客情報管理ノードから、前記ユーザ毎に該ユーザの自己情報を受信し、登録して記憶する、
ことを特徴とする請求項１から３までのいずれか１項に記載の通信相手ユーザの自己情報登録方法。
【請求項５】
複数の各ユーザの通信端末とともに通信ネットワークを構成し、該ユーザ毎に、該ユーザのユーザ選択情報を含む自己情報と、通信相手ユーザのユーザ選択情報を含む通信相手ユーザの自己情報を登録して記憶する自己情報管理ノードであって、
前記各ユーザの通信端末から、登録要求対象ユーザを指定した登録要求と登録承認対象ユーザを指定した登録承認を受信する受信手段と、
あるユーザの通信端末から受信した登録要求により指定された登録要求対象ユーザに関し、当該登録要求対象ユーザの通信端末から受信した登録承認により指定された登録承認対象ユーザ中に前記あるユーザが含まれていたときは、登録承認し、当該登録要求対象ユーザの自己情報を、前記あるユーザに関し、前記通信相手ユーザの自己情報として登録して記憶し、前記登録承認対象ユーザ中に前記あるユーザが含まれていなかったときは、登録拒否し、当該登録承認対象ユーザの自己情報を登録しない自己情報登録手段、
を有することを特徴とする自己情報管理ノード。
【請求項６】
前記登録要求と前記登録承認とは一つのものであり、前記登録要求対象ユーザと前記登録承認対象ユーザとは同一ユーザである、
ことを特徴とする請求項５に記載の自己情報管理ノード。
【請求項７】
前記各ユーザの通信端末は、それぞれ、着信した通信相手のユーザと発信した通信相手のユーザを記憶しており、
前記登録要求対象ユーザ、前記登録承認対象ユーザは、それぞれ、前記着信した通信相手のユーザ、前記発信した通信相手のユーザである、
ことを特徴とする請求項５に記載の自己情報管理ノード。
【請求項８】
複数のユーザ毎に、該ユーザのユーザ選択情報を含む自己情報と、通信相手ユーザのユーザ選択情報を含む通信相手ユーザの自己情報を登録して記憶する自己情報管理ノードとともに通信ネットワークを構成する通信端末であって、
登録要求対象ユーザを指定した登録要求と登録承認対象ユーザを指定した登録承認を前記自己情報管理ノードに送信することにより、該自己情報管理ノードに対し、当該通信端末から受信した登録要求により指定された登録要求対象ユーザに関し、当該登録要求対象ユーザの通信端末から受信した登録承認により指定された登録承認対象ユーザ中に当該通信端末のユーザが含まれていたときは、登録承認させ、当該登録要求対象ユーザの自己情報を、当該通信端末のユーザに関し、前記通信相手ユーザの自己情報として登録させて記憶させ、前記登録承認対象ユーザ中に当該通信端末のユーザが含まれていなかったときは、登録拒否し、当該登録要求対象ユーザの自己情報を登録させない送信手段と、
前記自己情報管理ノードから、該自己情報管理ノードに登録され記憶された当該通信端末のユーザに関する、通信相手ユーザの自己情報をダウンロードして通信端末側に登録して記憶する登録手段、
を有することを特徴とする通信端末。
【請求項９】
前記登録要求と前記登録承認とは一つのものであり、前記登録要求対象ユーザと前記登録承認対象ユーザとは同一ユーザである、
ことを特徴とする請求項８に記載の通信端末。
【請求項１０】
着信した通信相手のユーザと発信した通信相手のユーザを記憶する記憶手段を有し、
前記登録要求対象ユーザ、前記登録承認対象ユーザは、それぞれ、前記着信した通信相手のユーザ、前記発信した通信相手のユーザである、
ことを特徴とする請求項８に記載の通信端末。
【請求項１１】
複数の各ユーザの通信端末とともに通信ネットワークを構成し、該ユーザ毎に、該ユーザのユーザ選択情報を含む自己情報と、通信相手ユーザのユーザ選択情報を含む通信相手ユーザの自己情報を登録して記憶する自己情報管理ノード用の通信相手ユーザの自己情報登録プログラムであって、
前記各ユーザの通信端末から、登録要求対象ユーザを指定した登録要求と登録承認対象ユーザを指定した登録承認を受信する受信ステップと、
あるユーザの通信端末から受信した登録要求により指定された登録要求対象ユーザに関し、当該登録要求対象ユーザの通信端末から受信した登録承認により指定された登録承認対象ユーザ中に前記あるユーザが含まれていたときは、登録承認し、当該登録要求対象ユーザの自己情報を、前記あるユーザに関し、前記通信相手ユーザの自己情報として登録して記憶し、前記登録承認対象ユーザ中に前記あるユーザが含まれていなかったときは、登録拒否し、当該登録承認対象ユーザの自己情報を登録しない自己情報登録ステップ、
をコンピュータに実行させることを特徴とする自己情報管理ノード用の通信相手ユーザの自己情報登録プログラム。
【請求項１２】
複数のユーザ毎に、該ユーザのユーザ選択情報を含む自己情報と、通信相手ユーザのユーザ選択情報を含む通信相手ユーザの自己情報を登録して記憶する自己情報管理ノードとともに通信ネットワークを構成する通信端末用の通信相手ユーザの自己情報登録方法であって、
登録要求対象ユーザを指定した登録要求と登録承認対象ユーザを指定した登録承認を前記自己情報管理ノードに送信することにより、該自己情報管理ノードに対し、当該通信端末から受信した登録要求により指定された登録要求対象ユーザに関し、当該登録要求対象ユーザの通信端末から受信した登録承認により指定された登録承認対象ユーザ中に当該通信端末のユーザが含まれていたときは、登録承認させ、当該登録要求対象ユーザの自己情報を、当該通信端末のユーザに関し、前記通信相手ユーザの自己情報として登録させて記憶させ、前記登録承認対象ユーザ中に当該通信端末のユーザが含まれていなかったときは、登録拒否し、当該登録要求対象ユーザの自己情報を登録させない送信ステップと、
前記自己情報管理ノードから、該自己情報管理ノードに登録され記憶された当該通信端末のユーザに関する、通信相手ユーザの自己情報をダウンロードして通信端末側に登録して記憶する登録ステップ、
をコンピュータに実行させることを特徴とする通信端末用の通信相手ユーザの自己情報登録プログラム。
【発明の詳細な説明】
【０００１】
【発明の属する技術分野】
本発明は、通信相手ユーザの自己情報を登録する技術に関するものである。例えば、電話番号を含む電話の相手先の個人情報を、いわゆる「メモリダイヤル」に登録する技術に関するものである。
【０００２】
【従来の技術】
携帯電話ネットワークの移動機（携帯電話機）において、電話をかける相手の電話番号および氏名は、予めメモリに記憶されている。電話をかけたいときは、メモリから読み出された電話番号あるいは氏名を選択すれば、自動的に電話番号が携帯電話ネットワークに送出されて電話がかけられる。このような機能は、「メモリダイヤル」と呼ばれている。
【０００３】
図９は、移動機のハードウエア構成の一例を説明するためのブロック構成図である。
制御部１５６は、ＣＰＵ（Ｃｅｎｔｒａｌ  Ｐｒｏｃｅｓｓｉｎｇ  Ｕｎｉｔ）を含み、メモリ（ＲＯＭ／ＲＡＭ：Ｒｅａｄ  Ｏｎｌｙ  Ｍｅｍｏｒｙ／Ｒａｎｄｏｍ  Ａｃｃｅｓｓ  Ｍｅｍｏｒｙ）１６０に記憶された制御プログラムによって、無線送受信部１５２および音声信号処理部１５３を制御し、電話の発着信制御を行う。
基地局からの受信信号は、アンテナ１５１で受信され、無線送受信部１５２で復調され、通話音声データについては音声信号処理部１５３に出力されてアナログ変換されスピーカ１５４から出力される。一方、マイクロフォン１５５から入力された通話音声は、音声信号処理部１５３においてデジタル変換されて無線送受信部１５２に出力され変調されてアンテナ１５１から基地局に送信される。
【０００４】
制御部１５６は、また、液晶（ＬＣＤ）等の表示部１５７、デジタル・カメラ部１５８、キー入力部１５９、外部インターフェース１６１に接続され、これらを制御する他、電子メールの送受信制御も行う。
キー入力部１５９は、電話番号入力や電子メールのテキスト入力、各種機能の設定を行う。送信する複数の相手先の電話番号および氏名は、メモリ（ＲＯＭ／ＲＡＭ）１６０内のメモリダイヤル記憶領域１６０ａに登録される。
表示部１５７は、キー入力部１５９により入力され、メモリ１６０に格納された電子メールや、デジタル・カメラ部１５８で撮影された写真、または、メモリダイヤル記憶領域６０ａに登録された電話番号や氏名のリストを表示する。
上述した移動機の「メモリダイヤル」は、ユーザが自分の移動機に通信相手の氏名および電話番号を１件１件打ち込む入力作業を要するものであったので、そのデータ収集と入力操作が煩わしかった。
電話番号自体は、着信履歴に基づいて自動作成することが可能であるが、この着信履歴としては記憶されない氏名、その他については、手入力作業が必要である。
【０００５】
これに対し、電子メール等のメッセージにて、通信相手から氏名および電話番号を受信する技術が知られている（例えば、特許文献１参照）。
しかし、各通信相手ユーザに対し、氏名と電話番号を電子メールで送信するように依頼し、これを受信したときに「メモリダイヤル」に登録する操作を必要とすることから、手続きが煩わしかった。
また、移動機に自分の氏名および電話番号、顔写真、キャラクタデータ等の個人情報を登録しておき、発信側が個人情報の登録を選択したときには、発信側に登録されていた個人情報を受信側に送信し、受信側においては、発信側の個人情報を確認し、この個人情報の登録を選択したときには、受信側の「メモリダイヤル」に登録する技術が知られている（特許文献２参照）。
しかし、「メモリダイヤル」に登録するには、個々の通信相手からの登録要求を待ち、登録要求がある度に、登録するか否かを指示しなければなければない。上述した従来技術は、いずれも、移動機が「メモリダイヤル」機能を有していることから、移動機の故障、紛失、盗難などで「メモリダイヤル」の登録情報を失った場合は、再度、個人情報の登録をしなければならない。
【０００６】
これに対し、ネットワーク上のメモリ管理ノードに、メモリダイヤル等のデータを保存し、移動機のバックアップをする技術が知られている（特許文献３参照）。
図１０は、メモリ管理ノードを有する携帯電話ネットワークの構成図である。携帯電話ネットワーク１７１内に、各移動機のメモリを管理するメモリ管理ノード１７２および移動機の呼処理を行う呼処理ノード（交換機等を含む）が設置されている。
メモリ管理ノード１７２は、ある一人のユーザが複数の移動機１７４Ａ〜１７４Ｃ（端末グループを構成する）を使用する場合、共有メモリバッファとして使用され、メモリダイヤル、発信履歴、着信履歴、着信メロディ、送信メール、受信メール、待ち受け画面、実行可能プログラム、および電子マネーのうち少なくとも１つを共有する。
一方、あるユーザが１台の移動機１７４Ａを使用する場合であれば、メモリ管理ノード１７２は、この移動機１７４Ａのメモリに記憶される上述したメモリダイヤル等を、移動機１７４Ａのバックアップとして記憶する。
しかし、図１０に示した構成には、通信相手の電話番号および氏名等の個人情報を登録する機能はない。
【０００７】
【特許文献１】
特開２０００−１８８６３４号公報
【特許文献２】
特開２００２−１５２３６１号公報
【特許文献３】
特開２００２−１８５６１４号公報
【０００８】
【発明が解決しようとする課題】
本発明は、上述した問題点を解決するためになされたもので、通信相手ユーザの意思を尊重して通信相手ユーザの自己情報のデータベースを構築する処理を省力化できる通信相手ユーザの自己情報登録方法、この方法に使用される自己情報管理ノードおよび通信端末を提供することを目的とするものである。
【０００９】
【課題を解決するための手段】
本発明は、請求項１に記載の発明においては、複数の各ユーザの通信端末と、該ユーザ毎に、該ユーザのユーザ選択情報を含む自己情報と、通信相手ユーザのユーザ選択情報を含む通信相手ユーザの自己情報を登録して記憶する自己情報管理ノード、を有する通信ネットワークで実行される通信相手ユーザの自己情報登録方法であって、前記各ユーザの通信端末は、登録要求対象ユーザを指定した登録要求と登録承認対象ユーザを指定した登録承認を前記自己情報管理ノードに送信し、前記自己情報管理ノードは、前記各ユーザの通信端末から前記登録要求と前記登録承認を受信し、あるユーザの通信端末から受信した登録要求により指定された登録要求対象ユーザに関し、当該登録要求対象ユーザの通信端末から受信した登録承認により指定された登録承認対象ユーザ中に前記あるユーザが含まれていたときは、登録承認し、当該登録要求対象ユーザの自己情報を、前記あるユーザに関し、前記通信相手ユーザの自己情報として登録して記憶し、前記登録承認対象ユーザ中に前記あるユーザが含まれていなかったときは、登録拒否し、当該登録要求対象ユーザの自己情報を登録しないものである。
従って、自己情報管理ノード側で通信相手ユーザの自己情報の登録および記憶が自動的になされることから、通信相手ユーザの自己情報のデータベースを構築する処理を省力化できる。
また、通信端末の通信トラフィックが増加しないので、特に、携帯電話の場合は、通信端末と基地局間の限りある無線資源を浪費しない。
登録を要求する対象の通信相手ユーザの意思を尊重した上で、この通信相手ユーザの自己情報を収集することができる。ユーザの指示によって自己情報を登録して記憶しているので、不要な自己情報が登録され記憶されることがない。
ネットワーク上の自己情報管理ノードに登録して記憶しているので、通信端末側に記憶している通信相手ユーザの自己情報のバックアップが可能となる。
上述した通信端末が、携帯電話機、あるいは、固定電話機であり、通信相手ユーザ指定情報として電話番号を用いる場合は、ユーザのなりすましが困難であるので、自己情報のプライバシーを高度に保つことができる。
【００１０】
請求項１に記載の発明では、通信相手ユーザ自己情報は、自己情報管理ノードに登録して記憶されているので、ユーザの通信端末は、自己情報管理ノードから、このユーザに関する通信相手ユーザの自己情報をダウンロードし、登録して記憶する。
あるいは、ユーザの通信端末側で、ある通信相手ユーザの自己情報を知りたいときに、自己情報管理ノードにアクセスし、通信相手ユーザの自己情報の中から、知りたい通信相手ユーザの自己情報をダウンロードしてもよい。
従って、ユーザの通信端末側では、このユーザに関する通信相手ユーザの自己情報を全てダウンロードしておくことは必ずしも要しない。
【００１１】
請求項２に記載の発明においては、請求項１に記載の通信相手ユーザの自己情報登録方法において、前記登録要求と前記登録承認とは一つのものであり、前記登録要求対象ユーザと前記登録承認対象ユーザとは同一ユーザである。
従って、登録要求対象ユーザおよび登録承認対象ユーザの指定が簡単になる。登録要求をすれば、登録要求する側のユーザの自己情報の登録を、必ず、登録承認側のユーザが登録することを承認することになる。すなわち、自己情報の相互交換がなされることから、通信相手ユーザの自己情報が悪用されるおそれが少なくなる。
【００１２】
請求項３に記載の発明においては、請求項１に記載の通信相手ユーザの自己情報登録方法において、前記各ユーザの通信端末は、それぞれ、着信した通信相手のユーザと発信した通信相手のユーザを記憶しており、前記登録要求対象ユーザ、前記登録承認対象ユーザは、それぞれ、前記着信した通信相手のユーザ、前記発信した通信相手のユーザである。
従って、登録要求対象ユーザおよび登録承認対象ユーザの指定が簡単になる。また、登録要求対象ユーザは、着信した通信相手のユーザである。すなわち、既に登録を要求した対象のユーザ側から通信アクセスがあったので、この登録要求対象ユーザの自己情報を登録しても、プライバシーを侵害するおそれが少ない。
【００１３】
請求項４記載の発明においては、請求項１から３までのいずれか１項に記載の通信相手ユーザの自己情報登録方法において、顧客情報管理ノードを有し、該顧客情報管理ノードは、前記ユーザ毎に該ユーザのユーザ選択情報を含むに自己情報を記憶し、前記自己情報管理ノードは、前記顧客情報管理ノードから、前記ユーザ毎に該ユーザの自己情報を受信し、登録して記憶するものである。
従って、ユーザの自己情報を各ユーザの通信端末から送信する必要がなくなる。その結果、各ユーザの通信端末にユーザの自己情報を記憶させておかなくてもよい。
顧客情報管理ノードのセキュリティは高いことから、ユーザの自己情報の信頼性が高い。
なお、上述した請求項４に記載の発明に、上述した複数の各ユーザの通信端末から、当該ユーザの自己情報を自己情報管理ノードに送信し、自己情報管理ノードは、これを登録して記憶する機能を加えてもよい。
【００１４】
請求項５に記載の発明においては、複数の各ユーザの通信端末とともに通信ネットワークを構成し、該ユーザ毎に、該ユーザのユーザ選択情報を含む自己情報と、通信相手ユーザのユーザ選択情報を含む通信相手ユーザの自己情報を登録して記憶する自己情報管理ノードであって、前記各ユーザの通信端末から、登録要求対象ユーザを指定した登録要求と登録承認対象ユーザを指定した登録承認を受信する受信手段と、あるユーザの通信端末から受信した登録要求により指定された登録要求対象ユーザに関し、当該登録要求対象ユーザの通信端末から受信した登録承認により指定された登録承認対象ユーザ中に前記あるユーザが含まれていたときは、登録承認し、当該登録要求対象ユーザの自己情報を、前記あるユーザに関し、前記通信相手ユーザの自己情報として登録して記憶し、前記登録承認対象ユーザ中に前記あるユーザが含まれていなかったときは、登録拒否し、当該登録承認対象ユーザの自己情報を登録しない自己情報登録手段を有するものである。
従って、請求項１に記載の通信相手ユーザの自己情報登録方法に使用する自己情報管理ノードを実現できる。
さらに、請求項５に記載の自己情報管理ノードは、登録して記憶した各ユーザに対する通信相手ユーザの自己情報を、各ユーザの通信端末にダウンロードして通信端末側に登録させる送信手段を有するようにしてもよい。
【００１５】
請求項６に記載の発明においては、請求項５に記載の自己情報管理ノードにおいて、前記登録要求と前記登録承認とは一つのものであり、前記登録要求対象ユーザと前記登録承認対象ユーザとは同一ユーザである。
従って、請求項２記載の通信相手ユーザの自己情報登録方法に使用する自己情報管理ノードを実現できる。
【００１６】
請求項７に記載の発明においては、請求項５に記載の自己情報管理ノードにおいて、前記各ユーザの通信端末は、それぞれ、着信した通信相手のユーザと発信した通信相手のユーザを記憶しており、前記登録要求対象ユーザ、前記登録承認対象ユーザは、それぞれ、前記着信した通信相手のユーザ、前記発信した通信相手のユーザである。
従って、請求項３記載の通信相手ユーザの自己情報登録方法に使用する自己情報管理ノードを実現できる。
【００１７】
請求項８に記載の発明においては、複数のユーザ毎に、該ユーザのユーザ選択情報を含む自己情報と、通信相手ユーザのユーザ選択情報を含む通信相手ユーザの自己情報を登録して記憶する自己情報管理ノードとともに通信ネットワークを構成する通信端末であって、登録要求対象ユーザを指定した登録要求と登録承認対象ユーザを指定した登録承認を前記自己情報管理ノードに送信することにより、該自己情報管理ノードに対し、当該通信端末から受信した登録要求により指定された登録要求対象ユーザに関し、当該登録要求対象ユーザの通信端末から受信した登録承認により指定された登録承認対象ユーザ中に当該通信端末のユーザが含まれていたときは、登録承認させ、当該登録要求対象ユーザの自己情報を、当該通信端末のユーザに関し、前記通信相手ユーザの自己情報として登録させて記憶させ、前記登録承認対象ユーザ中に当該通信端末のユーザが含まれていなかったときは、登録拒否し、当該登録要求対象ユーザの自己情報を登録させない送信手段と、
前記自己情報管理ノードから、該自己情報管理ノードに登録され記憶された当該通信端末のユーザに関する、通信相手ユーザの自己情報をダウンロードして通信端末側に登録して記憶する登録手段を有するものである。
従って、請求項１記載の通信相手ユーザの自己情報登録方法に使用する通信端末を実現するとともに、通信相手ユーザの自己情報を通信端末側に登録して記憶できる。
【００１８】
請求項９に記載の発明においては、請求項８に記載の通信端末において、前記登録要求と前記登録承認とは一つのものであり、前記登録要求対象ユーザと前記登録承認対象ユーザとは同一ユーザである。
従って、請求項２記載の通信相手ユーザの自己情報登録方法に使用する通信端末を実現するとともに、通信相手ユーザの自己情報を通信端末側に登録して記憶できる。
【００１９】
請求項１０に記載の発明においては、請求項８に記載の通信端末において、着信した通信相手のユーザと発信した通信相手のユーザを記憶する記憶手段を有し、前記登録要求対象ユーザ、前記登録承認対象ユーザは、それぞれ、前記着信した通信相手のユーザ、前記発信した通信相手のユーザである。
従って、請求項３記載の通信相手ユーザの自己情報登録方法に使用する通信端末を実現するとともに、通信相手ユーザの自己情報を通信端末側に登録して記憶できる。
【００２０】
請求項１１に記載の発明においては、上述した請求項５記載の自己情報管理ノードを、コンピュータに実行させるプログラムの形態で実現するものである。
同様に、請求項６，７に記載の発明もコンピュータに実行させるプログラムの形態で実現することができる。
請求項１２に記載の発明においては、上述した請求項８に記載の通信端末を、コンピュータに実行させるプログラムの形態で実現するものである。
同様に、請求項９，１０に記載の発明もコンピュータに実行させるプログラムの形態で実現することができる。
【００２１】
【発明の実施の形態】
図１は、本発明の第１の実施形態を説明するための、通信相手ユーザの自己情報登録システムの構成図である。
通信相手ユーザの自己情報登録システムは、携帯電話ネットワーク１、この携帯電話ネットワーク１に加入している複数の各ユーザの移動機（例えば、ユーザＡ〜Ｃの移動機２Ａ〜２Ｃ）、これら複数ユーザ毎に自己情報およびその通信相手の自己情報をネットワーク上で管理する自己情報管理ノード３、および、携帯電話ネットワークに加入しているユーザの管理をする顧客情報管理ノード４により構成される。
【００２２】
移動機２Ａ〜２Ｃは、通信要求する際に、携帯電話ネットワーク１の図示しない呼処理ノードに対し、ユーザ選択情報としての電話番号を通知することにより、呼設定が行われ通信相手と通話する。
移動機２Ａ〜２Ｃは、メモリダイヤルリストＡ〜Ｃを作成する機能を有し、また、自己情報管理ノード３にアクセスする機能を有している。
移動機２Ａ〜２Ｃは、移動機２Ａ〜２ＣのユーザＡ〜Ｃの自己情報Ａ〜Ｃを記憶している。この自己情報はユーザ固有の情報であり、個人情報にユーザ選択情報（電話番号）を加えたものである。
【００２３】
図４（ｃ）に自己情報の一例を示している。個人情報は、氏名、メールアドレス、住所、性別、生年月日、本人写真、住所地図、その他、勤務先名，勤務先住所，勤務先電話番号などである。ユーザ選択情報（電話番号）も個人情報と言えなくもないが、本明細書では個人情報から除いている。
個人情報は、ユーザに固有の情報であり、ユーザ情報あるいはユーザのプロパティということもできる。必ずしも、「人」に付帯する情報である必要はなく、例えば、ユーザの店舗情報や会社概要情報などでも構わない。
【００２４】
移動機２Ａ〜２Ｃは、メモリダイヤルデータベースＡ〜Ｃを有し、複数の通信相手ユーザそれぞれの自己情報を登録して記憶している。この自己情報の保存内容および保存形式は、ユーザＡ〜Ｃ自身の自己情報と同じものに統一することが好ましい。
移動機２Ａは、発信時に、メモリダイヤルデータベースＡに記憶されている、複数の通信相手の自己情報のリストを表示部に表示させたりして、通信しようとする相手をユーザに選択させる。選択された自己情報に含まれる電話番号（通信相手ユーザのユーザ選択情報）を、携帯電話ネットワーク１側に通知することにより、簡単な操作で発信が行える。
上述したメモリダイヤルデータベースＡ〜Ｃは、また、単なる「メモリダイヤル」に用いるだけでなく、その個人情報部分の情報を有効に利用することができる。
メモリダイヤルリストＡ〜Ｃについては、後述する。
【００２５】
自己情報管理ノード３は、複数のユーザＡ〜Ｃの自己情報をネットワーク側で管理する装置である。ユーザＡ〜Ｃに１対１対応した個別ノードＡ〜Ｃを有する。個別ノードＡ〜Ｃは、各ユーザＡ〜Ｃの自己情報Ａ〜Ｃ等を記憶している。個別ノードＡ〜Ｃは、必ずしも個別の装置を意味するものではなく、自己情報管理ノード３の部分構成をいう。結果として、ユーザＡ〜Ｃの移動機２Ａ〜２Ｃは、それぞれ、対応する個別ノードＡ〜Ｃにのみアクセスできる。
自己情報管理ノード３は、例えば、データベースサーバで実現され、個別ノードは、そのディレクトリである。
ユーザ毎の個別ノードＡ〜Ｃは、検索キーとしてユーザＡ〜Ｃの電話番号Ａ〜Ｃを記憶し、加えて、ユーザＡ〜Ｃの自己情報Ａ（Ｎ）〜Ｃ（Ｎ）、ユーザＡ〜ＣのメモリダイヤルリストＡ（Ｎ）〜Ｃ（Ｎ）、ユーザＡ〜ＣのメモリダイヤルデータベースＡ（Ｎ）〜Ｃ（Ｎ）を記憶している。
ここで、（Ｎ）は、ネットワーク側の自己情報管理ノード３に記憶されるものであることを示す。
【００２６】
自己情報Ａ（Ｎ）〜Ｃ（Ｎ）は、後述する顧客情報管理ノード４において記憶されたユーザＡ〜Ｃの自己情報Ａ（Ｄ）〜Ｃ（Ｄ）を受信して記憶したもの、あるいは、ユーザＡ〜Ｃの移動機２Ａ〜２Ｃに記憶された自己情報Ａ〜Ｃを受信して記憶したものである。自己情報Ａ〜Ｃは、ユーザの編集によって変更される場合がある。自己情報Ａ（Ｎ）〜Ｃ（Ｎ）は、受信した最新の自己情報によって更新される。
一方、メモリダイヤルリストＡ（Ｎ）〜Ｃ（Ｎ）は、移動機２Ａ〜２ＣのユーザＡ〜Ｃが、メモリダイヤルデータベースＡ（Ｎ）〜Ｃ（Ｎ）、ひいては、メモリダイヤルデータベースＡ〜Ｃを新たに作成あるいは更新したいときに、移動機２Ａ〜２Ｃ側から自己情報管理ノード３に、専用プロトコルまたはメール転送プロトコルを用いて、登録要求が送信される際に指定されるメモリダイヤルリストＡ〜Ｃを記憶したものである。
【００２７】
図４（ａ）は、移動機２Ａにおいて、ユーザＡにより作成され記憶されたメモリダイヤルリストＡ、図４（ｂ）は、移動機２Ｂにおいて、ユーザＢにより作成され記憶されたメモリダイヤルリストＢの具体例の説明図である。
メモリダイヤルリストＡ〜Ｃは、ユーザＡ〜Ｃ側から、その固有の自己情報の登録を要求する相手（登録要求対象ユーザ）であると同時に、逆に、ユーザＡ〜Ｃが、自身の自己情報Ａ〜Ｃを相手に登録されることを承認する相手（登録承認対象ユーザ）でもあるという、通信相手ユーザを指定するリストである。端的に言えば、自己情報を相互に交換する通信相手ユーザを指定するリストである。この通信相手ユーザを指定するために、その電話番号（ユーザ選択情報）を用いている。
【００２８】
自己情報管理ノード３は、各ユーザＡ〜Ｃの移動機２Ａ〜２Ｃから受信した登録要求に含まれるメモリダイヤルリストＡ〜Ｃ、すなわち、メモリダイヤルリストＡ（Ｎ）〜Ｃ（Ｎ）に含まれている、あるユーザ、例えば、ユーザＡの移動機２Ａからの登録要求により指定される登録要求対象ユーザ、例えば、ユーザＢを検索する。
次に、検索されたユーザＢが、逆に、検索を要求した側の、あるユーザＡが、登録承認対象ユーザに含まれている（メモリダイヤルリストＢ（Ｎ）に含まれる）と判定したときは、登録を承認し、この登録要求対象ユーザＢの自己情報を収集し、上述したあるユーザＡに関する、通信相手ユーザの自己情報として、ユーザＡのメモリダイヤルデータベースＡ（Ｎ）に登録して記憶する。
【００２９】
一方、登録要求対象ユーザであるユーザＢが、上述したあるユーザＡが登録承認対象ユーザに含まれていないと判定したときは、登録を拒否し、この登録要求対象ユーザＢの自己情報は、メモリダイヤルデータベースＡ（Ｎ）に登録しないようにする。
メモリダイヤルリストＡ（Ｎ）に含まれる全ての登録要求対象ユーザに対して同様の、検索、承認チェック、収集、登録処理を繰り返す。
自己情報管理ノード３は、ユーザＢ，Ｃの移動機２Ｂ，２Ｃからの登録要求により指定されるメモリダイヤルリストＢ（Ｎ），Ｃ（Ｎ）に含まれる全ての登録要求対象ユーザについても、同様の処理を行うことにより、上述したユーザＢ，Ｃに対する通信相手ユーザの自己情報をメモリダイヤルデータベースＢ（Ｎ），Ｃ（Ｎ）に登録して記憶する。
【００３０】
なお、メモリダイヤルリストＡ（Ｎ）に含まれる登録要求対象ユーザＢを検索して、検索されたユーザＢが、検索要求側のユーザＡを登録承認対象ユーザにしていると判定したときは、上述したように、登録要求対象ユーザＢの自己情報Ｂ（Ｎ）を収集し、メモリダイヤルデータベースＡ（Ｎ）に登録して記憶する。かつ、同時に、この時点で、検索要求側のユーザＡの自己情報Ａ（Ｎ）を収集して、メモリダイヤルデータベースＢ（Ｎ）に登録して記憶するようにして、検索に要する時間を短縮化してもよい。
【００３１】
上述した自己情報管理ノード３の処理により、ユーザＡ〜ＣのメモリダイヤルデータベースＡ（Ｎ）〜Ｃ（Ｎ）が構築される。
次に、各ユーザの各移動機、例えば、ユーザＡの移動機２Ａは、ユーザＡの管理ノードＡのメモリダイヤルデータベースＡ（Ｎ）に登録され記憶されているユーザＡの移動機２Ａに対する通信相手ユーザの自己情報を、自己情報管理ノード３からダウンロードして、移動機２ＡのメモリダイヤルデータベースＡに登録し記憶する。
その結果、各ユーザＡ〜Ｃの移動機２Ａ〜２Ｃにおいても、ユーザＡ〜ＣのメモリダイヤルデータベースＡ〜Ｃが構築される。
【００３２】
顧客情報管理ノード４は、顧客であるユーザＡ〜Ｃの顧客情報、例えば、課金種別，サービス種別，料金振替口座、課金時間などを登録しているものであり、例えば、契約者データベースサーバである。
図示の顧客情報管理ノード４では、ユーザの電話番号Ａ〜Ｃを検索キーとして、各ユーザＡ〜Ｃの自己情報Ａ（Ｄ）〜Ｃ（Ｄ）をも登録して記憶するようにしており、自己情報管理ノード３の各ユーザの個別ノードＡ〜Ｃに自己情報Ａ（Ｄ）〜Ｃ（Ｄ）を送信できる通信機能を有している。ここで、（Ｄ）は、顧客情報管理ノード４に登録され記憶されている情報を示すために付した符号である。自己情報Ａ〜Ｃ、Ａ（Ｎ）〜Ｃ（Ｎ）、Ａ（Ｄ）〜Ｃ（Ｄ）は、共通のフォーマットを使用すれば、メモリダイヤルデータベースＡ（Ｎ）〜Ｃ（Ｎ）、Ａ〜Ｃの作成が容易になる。
【００３３】
顧客情報管理ノード４は、移動機側で作成可能な自己情報Ａ（Ｄ）〜Ｃ（Ｄ）を登録記憶して自己情報管理ノード３に送信することを必ずしも要しない。しかし、顧客情報管理ノード４には、各ユーザＡ〜Ｃが、通信ネットワーク加入申し込み時などにおいて申告され、ネットワーク事業者が真正なユーザの自己情報として自己情報Ａ（Ｄ）〜Ｃ（Ｄ）を登録することにより、ユーザの自己情報の信頼性を高めることができる。
各ユーザＡ〜Ｃの移動機２Ａ〜２Ｃにおいて記憶している自己情報Ａ〜Ｃを、ユーザ認証を行った上で、顧客情報管理ノード４に送信し、固有の自己情報Ａ（Ｄ）〜Ｃ（Ｄ）としたり、既に記憶されているものを更新するようにしてもよい。
【００３４】
ユーザＡ〜Ｃの管理ノードＡ〜Ｃ、および、顧客管理ノード４においては、検索キーとしての電話番号Ａ〜Ｃと、自己情報Ａ（Ｎ）〜Ｃ（Ｎ）とを分けた形で記憶している。しかし、自己情報Ａ（Ｎ）〜Ｃ（Ｎ）内にも電話番号Ａ〜Ｃが含まれているから、電話番号Ａ〜Ｃを、別に記憶することなく、自己情報Ａ（Ｎ）〜Ｃ（Ｎ）内のものを用いて検索キーとしてもよい。また、検索キーとして、電話番号を記憶させるのに代えて、各ユーザ固有のユニークな番号、あるいは、移動機２Ａ〜２Ｃのユニークな機器番号を記憶させて検索キーにしてもよい。
【００３５】
上述した説明において、自己情報管理ノード３は、携帯電話ネットワーク１内に設置される１つの装置として説明した。しかし、自己情報管理機能を携帯電話ネットワーク１内に分散配置させるようにしてもよい。
すなわち、複数の各ユーザの通信端末は、複数のグループに分割され、自己情報管理ノード３は、この複数のグループ毎に、このグループに属する複数の各ユーザの自己情報を管理する、複数の「自己情報グループ管理ノード」により構成される。
各自己情報グループ管理ノードは、それぞれ、各グループのユーザ毎に、このユーザの自己情報と、通信相手ユーザの自己情報を登録し記憶する。
【００３６】
各自己情報グループ管理ノードは、対応する各グループのユーザの移動機から登録要求を受信し、自身の自己情報グループ管理ノード内、および、複数の自己情報グループ管理ノード間にわたってデータ送受信を可能とし、登録要求対象ユーザの検索、承認チェック、および、登録要求対象ユーザの自己情報の収集を実行する。また、対応する各グループのユーザの移動機へメモリダイヤルデータベースのダウンロードを行う。
従って、通信ネットワークが複数の地域に分かれていたり、複数の電気通信事業者に分かれていたり、複数の国に分かれていたりした場合に、それぞれをグループとすることにより、複数のグループにまたがって、通信相手ユーザの自己情報を収集して登録し記憶することができる。
【００３７】
図２は、図１に示した第１の実施形態の動作を説明するフローチャートである。図１に示したメモリダイヤルデータベースＡ（Ｎ）の登録を実例にあげて説明する。
自己情報管理ノード３、移動機２Ａ、顧客管理ノード４のそれぞれが相互に関連して通信相手ユーザの自己情報の登録を実現する。大別して４つのフェーズに分けられる。
（１）顧客管理ノード４から自己情報管理ノード３への自己情報の送信
顧客情報管理ノード４のＳ５１において、ユーザＡの電話番号Ａを自己情報管理ノード３に送信する。自己情報管理ノード３のＳ１１において、電話番号Ａを受信し、Ｓ１２においてこの電話番号ＡをユーザＡの個別ノードＡに記憶する。顧客情報管理ノード４のＳ５２において、ユーザＡの自己情報Ａ（Ｄ）を自己情報管理ノード３に送信する。自己情報管理ノード３のＳ１３において、自己情報Ａ（Ｄ）を受信し、Ｓ１４においてこの自己情報Ａ（Ｄ）を、ユーザＡの個別ノードＡに自己情報Ａ（Ｎ）として記憶する。
以上の処理にて、ユーザＡの電話番号Ａと自己情報Ａとが、個別ノードＡに記憶される。
【００３８】
（２）端末機から自己情報管理ノードへの自己情報の送信
移動機２ＡのＳ３１において、メモリダイヤルデータベースＡ（Ｎ）に記憶された自己情報Ａ（Ｎ）を編集したいときは、Ｓ３２に処理を進め、そうでないときには、Ｓ３５に処理を進め次のフェーズに移行させる。
Ｓ３２において、ユーザＡは自己情報Ａを入力し、Ｓ３３において自己情報管理ノード３に対するアクセス機能を起動し、Ｓ３４において自己情報Ａを送信する。
自己情報管理ノード３のＳ１５において自己情報Ａを受信し、Ｓ１６において個別ノードＡの自己情報Ａ（Ｎ）に、自己情報Ａを上書きして、移動機２Ａに完了を通知する。このようにして自己情報Ａ（Ｎ）がユーザＡにより編集される。
【００３９】
（３）メモリダイヤルデータベースの作成
Ｓ３５においてユーザＡの操作により、図４（ａ）を参照して後述するメモリダイヤルリストＡを入力する。
Ｓ３６において自己情報管理ノード３に対するアクセス機能を起動し、Ｓ３７においてメモリダイヤルリストＡを送信する。
自己情報管理ノード３のＳ１７において、メモリダイヤルリストＡをユーザＡの個別ノードＡのメモリダイヤルリストＡ（Ｎ）に記憶する。
【００４０】
次に、自己情報管理ノード３におけるメモリダイヤルデータベースの作成処理について、図３，図４を参照して説明する。
図３は、図２に示したフローチャートにおける、自己情報管理ノード３のメモリダイヤルデータベース作成の動作を説明するフローチャートである。
ユーザＡの個別ノードＡの処理とユーザＢの個別ノードＢの処理とに分けて説明する。
図４は、図１に示したメモリダイヤルリストＡ，Ｂの具体例、および、自己情報の一例を示す説明図である。
図４（ａ）に示すように、移動機２ＡからのメモリダイヤルリストＡには、電話番号Ｂ〜Ｇが登録されており、図４（ｂ）に示すように、移動機２ＢからのメモリダイヤルリストＢには、電話番号Ａ，Ｈ〜Ｌが登録されているものとする。以下には、電話番号Ｂに対応するユーザＢの自己情報をメモリダイヤルデータベースＡに登録する場合について例示する。
このダイヤルリストＡは、その自己情報を登録しておきたい通信相手であって、かつ、この通信相手にユーザＡの自己情報Ａ（Ｎ）を登録させてもよい通信相手を、通信相手の電話番号（ユーザ選択情報）で記憶している。
【００４１】
個別ノードＡの処理であるＳ６１において、図４（ａ）に示したメモリダイヤルリストＡ（メモリダイヤルリストＡ（Ｎ）と同じものである）内の電話番号Ｂの検索を、自己情報管理ノード３の管理下にある他の個別ノードＡ〜Ｃの電話番号群において行う。
Ｓ６２において、管理ノードＢに電話番号Ｂを発見したときは、管理ノードＢ側に登録要求をするとともに、Ｓ６４に処理を進める。
そうでないときは、Ｓ６３に処理を進め、電話番号Ｂに関する処理を終了し、最初に戻り、次の電話番号Ｃ以降について同様の処理を繰り返す。
【００４２】
管理ノードＢ側のＳ７１において、管理ノードＡの電話番号Ａを取得し、Ｓ７２において図４（ｂ）に示されたメモリダイヤルリストＢ（Ｎ）の中に電話番号Ａが存在するか否かを判定する。
メモリダイヤルリストＢ（Ｎ）は、登録承認リストでもあるから、電話番号Ａが存在するということは、ユーザＢがユーザＡに対しユーザＢの自己情報の登録を承認していることを意味する。
図４（ｂ）の実例では電話番号Ａが存在するから登録を承認し、Ｓ７３に処理を進める。そうでないときは、管理ノードＡに対して登録拒否を通知し、処理を終了する。
【００４３】
Ｓ７３において、自己情報Ｂ（Ｎ）を送信し、Ｓ７４に処理を進めて電話番号Ｂに関する処理を終了し、最初に戻る。
一方、ユーザＡの個別ノードＡのＳ６４において、自己情報Ｂ（Ｎ）を受信し、Ｓ６５において、ユーザＢの自己情報Ｂ（Ｎ）をメモリダイヤルデータベースＡ（Ｎ）の領域に記憶し、Ｓ６６において終了し、最初に戻り、次の電話番号Ｃ以降について同様の処理を繰り返す。
その結果、自己情報管理ノード３内で、メモリダイヤルリストＡ（Ｎ）に存在する電話番号のユーザの自己情報を収集する。自己情報管理ノード３内の、他の複数の管理ノードも同様に、管理ノード間で通信相手ユーザの自己情報を収集する。
【００４４】
（４）作成されたメモリダイヤルデータベースのダウンロード
再び、図２に戻って説明する。
移動機２ＡのＳ３８において自己情報管理ノード３に対するアクセス機能を起動し、メモリダイヤルデータベースＡ（Ｎ）のダウンロードを要求する。
自己情報管理ノード３のＳ１９において、ダウンロード要求を受信し、メモリダイヤルデータベースＡ（Ｎ）を移動機２Ａに送信する。
移動機２ＡのＳ３９において、メモリダイヤルデータベースＡ（Ｎ）を受信し、Ｓ４０においてメモリダイヤルデータベースＡに記憶する。
【００４５】
上述した構成および動作によって、通信相手ユーザの自己情報の検索、収集、承認チェック処理をネットワーク側で自動的に実行させることができる。
その結果、ユーザＡ〜Ｃは、１件１件メモリダイヤルデータベースＡ〜Ｃの自己情報を入力することなく、メモリダイヤルリストＡ〜Ｃの作成と送信、および、メモリダイヤルデータベースＡ（Ｎ）〜Ｃ（Ｎ）のダウンロードのみで、メモリダイヤルデータベースＡ〜Ｃを構築できる。
また、ネットワーク側３にも、メモリダイヤルデータベースＡ（Ｎ）〜Ｃ（Ｎ）を構築しているため、移動機２Ａ〜２Ｃ側のメモリダイヤルデータベースＡ〜Ｃのメモリバックアップができるので、移動機２Ａ〜２Ｃの故障、紛失、盗難にてメモリダイヤルデータベースＡ〜Ｃを失った場合においても、同じ電話番号Ａ〜Ｃを有するようにした移動機２Ａ〜２Ｃであれば、単に、メモリダイヤルデータベースＡ（Ｎ）〜Ｃ（Ｎ）をダウンロードするだけで復活させることができる。
【００４６】
図５は、本発明の第２の実施形態を説明するための通信相手ユーザの自己情報登録システムの構成図である。
全体構成は、図１を参照して説明した第１の実施形態と同じであり、図１とほぼ同様で対応関係がある箇所には同じ符号を付している。
第１の実施の形態と相違する点は、図１のメモリダイヤルリストＡ〜Ｃに代えて、発信履歴リストＡ〜Ｃ，着信履歴リストＡ〜Ｃを用いる点である。
各ユーザＡ〜Ｃの移動機２Ａ〜２Ｃは、電話をかける際に、通信相手の電話番号を発信履歴リストＡ〜Ｃに自動記憶する機能がある。一方、電話の着信を受けた際に、通信相手の電話番号を着信履歴リストＡ〜Ｃに自動記憶する機能がある。この実施の形態において、ユーザＡ〜ＣがメモリダイヤルデータベースＡ（Ｎ）〜Ｃ（Ｎ）、ひいては、Ａ〜Ｃを作成あるいは更新したいときは、移動機２Ａ〜２Ｃに記憶されている着信履歴リストＡ〜Ｃを伴う登録要求，発信履歴リストＡ〜Ｃを伴う登録承認を、専用プロトコルまたはメール転送プロトコルを用いて、自己情報管理ノード３に送信する。
【００４７】
自己情報管理ノード３においては、受信した発信履歴リストＡ〜Ｃ，着信履歴リストＡ〜Ｃを、対応する個別ノードＡ〜Ｃに、発信履歴リストＡ（Ｎ）〜Ｃ（Ｎ），着信履歴リストＡ（Ｎ）〜Ｃ（Ｎ）として記憶する。
自己情報管理ノード３は、例えば、ユーザＡの移動機２Ａからの登録要求により指定される着信履歴リストＡ（Ｎ）に含まれる登録要求対象ユーザ、例えば、ユーザＢを検索する。
次に、登録要求対象ユーザＢに関し、検索を要求した側の、あるユーザＡが、発信履歴リストＢ（Ｎ）で指定される登録承認対象ユーザに含まれていると判定したときは、登録承認し、この登録要求対象ユーザＢの自己情報を収集し、上述したあるユーザＡに関する、通信相手ユーザの自己情報として、メモリダイヤルデータベースＡ（Ｎ）に登録して記憶する。
【００４８】
一方、登録要求対象ユーザＢに関し、上述したあるユーザＡが、発信履歴リストＢ（Ｎ）で指定される登録承認対象ユーザに含まれていないと判定したときは、登録拒否し、この登録要求対象ユーザＢの自己情報を、メモリダイヤルデータベースＡ（Ｎ）に登録しないようにする。
着信履歴リストＡ（Ｎ）に含まれる全ての登録要求対象ユーザに対して同様の、検索、承認チェック、収集、登録処理を繰り返す。
自己情報管理ノード３は、ユーザＢ，Ｃの移動機２Ｂ，２Ｃからの登録要求により指定される着信履歴リストＢ（Ｎ），Ｃ（Ｎ）に含まれた全ての登録要求対象ユーザについても、同様の処理を行うことにより、上述したユーザＢ，Ｃに関する通信相手ユーザの自己情報をメモリダイヤルデータベースＢ（Ｎ），Ｃ（Ｎ）に登録して記憶する。
【００４９】
上述したように、メモリダイヤルデータベースＡ〜Ｃを作成する側の着信履歴リスト内にある電話番号が登録要求対象を表し、登録要求対象側の発信履歴リスト内にある電話番号が登録承認対象を表す。
従って、原則として、着信履歴のある通信相手の自己情報をデータベース化する。しかし、データ収集したくない通信相手については、ユーザが予め着信履歴リストからその電話番号を削除しておけばよい。一方、自己情報が登録されることを承認しない通信相手については、ユーザが予め発信履歴リストからその電話番号を削除しておけばよい。
上述した説明において、自己情報管理ノード３は、携帯電話ネットワーク１内に設置される１つの装置として説明した。しかし、図１を参照して説明した第１の実施形態と同様に、自己情報管理機能を携帯電話ネットワーク１内に分散配置させてもよい。
【００５０】
図６は、図５に示した第２の実施形態の動作を説明するフローチャートである。図５に示したユーザＡの移動機２ＡのメモリダイヤルデータベースＡ（Ｎ）の登録を実例にあげて説明する。
図２を参照して説明した第１の実施形態では、顧客情報管理ノード４から自己情報管理ノード３への自己情報の送信フェーズ、移動機２Ａ〜２Ｂから自己情報管理ノード３への自己情報の送信フェーズがあった。この第２の実施形態でも同様のフェーズが可能であるが記載は省略した。
図６に示した処理は、大別して、２つのフェーズに分けられる。
【００５１】
（１）メモリダイヤルデータベースの作成処理
ユーザＢの移動機２ＢのＳ１０１において携帯電話ネットワーク１に対して電話発信を行うと、ユーザＡの移動機２ＡのＳ９１において携帯電話ネットワーク１から電話着信を受ける。
移動機２ＢのＳ１０２において電話番号Ａを携帯電話ネットワーク１を経由して移動機２Ａに送信し、Ｓ１０３において発信履歴リストＢに電話番号Ａを記憶し、Ｓ１０４において自己情報管理ノード３に対するアクセス機能を起動し、Ｓ１０５においてユーザＢの発信履歴リストＢを有する登録承認を送信して処理を終了する。
【００５２】
個別ノードＢのＳ１１１において発信履歴リストＢを受信し、これをＳ１１２において発信履歴リストＢ（Ｎ）に記憶して、図７を参照して後述するメモリダイヤルデータベースＡ（Ｎ）の作成に進む。
一方、移動機２ＡのＳ９２において電話番号Ｂを受信し、これを表示部５７（図９）に表示し、Ｓ９３において着信履歴リストＡに記憶し、Ｓ９４において自己情報管理ノード３に対するアクセス機能を起動し、Ｓ９５においてユーザＡの着信履歴リストＡを有する登録要求を送信する。
自己情報管理ノード３のＳ８１において着信履歴リストＡを受信し、これをＳ８２においてユーザＡの個別ノードＡの着信履歴リストＡ（Ｎ）に記憶し、図７を参照して後述するメモリダイヤルデータベースの作成処理に進む。
【００５３】
次に、自己情報管理ノード３側におけるメモリダイヤルデータベースの作成処理について、図７を参照して説明する。
図７は、図６に示したフローチャートにおける、自己情報管理ノード３のメモリダイヤルデータベース作成の動作を説明するフローチャートである。
ユーザＡの個別ノードＡの処理とユーザＢの個別ノードＢの処理とに分けて説明する。
図８は、図５に示した着信履歴リストＡ，Ｂおよび発信履歴リストＡ，Ｂの具体例を示す説明図である。
【００５４】
図８（ａ）は移動機２Ａの着信履歴リストＡおよび発信履歴リストＡ、図８（ｂ）は移動機２Ｂの着信履歴リストＢおよび発信履歴リストＢである。
図８（ａ）に示すように、移動機２Ａの着信履歴リストＡには、移動機２Ｂの電話番号Ｂが含まれ、図８（ｂ）に示すように、移動機２Ｂの発信履歴リストＢには、移動機２Ａの電話番号Ａが登録されている。
図７において、ユーザＡの個別ノードＡの処理として、Ｓ１２１において、着信履歴リストＡ（Ｎ）にある電話番号Ｂの検索を、自己情報管理ノード３内の他の個別ノードの電話番号において実行する。
Ｓ１２２において、ユーザＢの電話番号Ｂを発見したときは、ユーザＢの個別ノードＢに対し登録要求を行うとともに、Ｓ１２４に処理を進める。そうでないときにはＳ１２３に処理を進め、電話番号Ｂに関する処理を終了し、最初に戻り、次の電話番号Ｃ以降について同様の処理を繰り返す。
個別ノードＢ側のＳ１３１において、ユーザＡの電話番号Ａを取得し、Ｓ１３２において、発信履歴リストＢ（Ｎ）内に電話番号Ａが存在するか否かを判定する。
【００５５】
図８（ｂ）の実例では、発信履歴リストＢ（Ｎ）に電話番号Ａが存在することから、登録を承認し、Ｓ１３３に処理を進める。
一方、発信履歴リストＢ（Ｎ）に電話番号Ａが存在しないときは、ユーザＡの個別ノードＡに対し、登録拒否を通知し、処理を終了する。
Ｓ１３３において、自己情報Ｂ（Ｎ）をユーザＡの個別ノードＡに送信し、Ｓ１３４に処理を進めて最初に戻る。
ユーザＡの個別ノードＡ側のＳ１２４において、自己情報Ｂ（Ｎ）を受信し、Ｓ１２５において、自己情報Ｂ（Ｎ）をメモリダイヤルデータベースＡ（Ｎ）内に記憶し、Ｓ１２６において終了し、最初に戻り、次の電話番号Ｃ以降について同様の処理を繰り返す。
その結果、着信履歴リストＡ（Ｎ）に存在する電話番号の通信相手ユーザの自己情報を、自己情報管理ノード３内で収集する。
他のユーザＢ，Ｃの個別ノードＢ，Ｃに関しても、同様に、着信履歴リストＢ（Ｎ），Ｃ（Ｎ）に存在する電話番号の通信相手ユーザの自己情報を、自己情報管理ノード３内で収集する。
【００５６】
（２）作成されたメモリダイヤルデータベースのダウンロード処理
再び、図６に戻って説明する。
移動機２ＡのＳ９６において、自己情報管理ノード３に対するアクセス機能を起動し、メモリダイヤルデータベースＡ（Ｎ）のダウンロードを要求して、Ｓ９７に処理を進める。
個別ノードＡのＳ８３においてダウンロード要求を受信し、Ｓ８４においてメモリダイヤルデータベースＡ（Ｎ）を移動機２Ａに送信する。
移動機２ＡのＳ９７においてメモリダイヤルデータベースＡ（Ｎ）を受信し、Ｓ９８において、このメモリダイヤルデータベースＡ（Ｎ）をメモリダイヤルデータベースＡに記憶する。
【００５７】
上述したように、各移動機２Ａ〜２ＣのユーザＡ〜Ｃは、その自己情報を登録したい登録要求対象ユーザとして、着信履歴リストに含まれている電話番号（通信相手ユーザ情報）を、自己情報管理ノード３に送信する。また、登録要求対象ユーザ側において、登録承認対象ユーザとして、発信履歴リストに含まれている電話番号（通信相手ユーザ情報）を、自己情報管理ノード３に送信する。
その結果、自己情報管理ノード３側が、登録承認をした通信相手ユーザの自己情報を収集してメモリダイヤルデータベースＡ（Ｎ）〜Ｃ（Ｎ）を構築し、これらを各移動機２Ａ〜２Ｃがダウンロードすることにより、１件１件、通信相手ユーザの自己情報を入力することなく、メモリダイヤルデータベースＡ〜Ｃを構築できる。
また、自己情報管理ノード３のメモリダイヤルデータベースＡ（Ｎ）〜Ｃ（Ｎ）により、移動機２Ａ〜２Ｃのメモリバックアップができる。
【００５８】
図６に示した具体例では、ユーザＡ〜Ｃの移動機２Ａ〜２Ｃの着信履歴リストＡ〜Ｃ、例えば、着信履歴リストＡが更新されたときは、直ちに、対応するユーザＡの個別ノードＡ内の着信履歴リストＡ（Ｎ）を更新するようにしている。また、ユーザＡ〜Ｃの移動機２Ａ〜２Ｃの発信履歴リストＡ〜Ｃ、例えば、発信履歴リストＡが更新されたときは、直ちに、自己情報管理ノード３の対応するユーザＡの個別ノードＡ内の発信履歴リストＡ（Ｎ）を更新するようにしている。しかし、自己情報管理ノード３側の更新は、必ずしも、移動機２Ａ〜２Ｃ側での更新に連動させなくてもよい。
また、メモリダイヤルデータベースＡ（Ｎ）〜Ｃ（Ｎ），Ａ〜Ｃの作成は、対応するユーザＡ〜Ｃの移動機２Ａ〜２Ｃの着信履歴リストＡ〜Ｃが更新されたときに行われるようにしている。しかし、着信履歴リストＡ〜Ｃの更新とは独立してメモリダイヤルデータベースの作成をしてもよい。
【００５９】
図５〜図８を参照して説明した第２の実施形態においては、登録要求対象ユーザ、登録承認対象ユーザを、それぞれ、着信した通信相手のユーザ、発信した通信相手のユーザに固定的に指定している。これに代えて、登録要求対象ユーザ、登録承認対象ユーザの個別指定を、図１〜図４に示した第１の実施形態におけるダイヤルリストのように、ユーザが任意に指定できるようにしてもよい。
この場合でも、登録の承認が得られた通信相手ユーザの自己情報についてのみ登録できるようにしていることから、通信相手ユーザの自己情報のプライバシーに配慮している。
【００６０】
登録要求対象ユーザおよびまたは登録承認対象ユーザとして、具体的に電話番号（ユーザ選択情報）を入力しないでも全ユーザを指定したり、特定のグループに属するユーザを指定したりする登録対象，登録承認を自己情報管理ノードに送信する機能を設けてもよい。
登録承認対象ユーザに全ユーザあるいはグループを指定したときは、会社の広報あるいは店の宣伝用に、全てのユーザに会社や店の自己情報の登録を許諾することができ、一種の電話帳機能，職業別電話帳機能を通信相手ユーザの自己情報登録サービスに持たせることができる。
上述した第２の実施形態のサービスに、自己情報を相互に交換する第１の実施形態を独立したサービスとして併存させてもよい。
上述した説明では、説明の都合上、携帯電話ネットワーク１上の全ユーザＡ〜Ｃが、通信相手ユーザの自己情報登録サービスに加入しているものとして説明した。しかし、携帯電話ネットワーク１上には、このサービスに加入していないユーザがいてもよい。
【００６１】
上述した自己情報管理ノード３の通信相手ユーザの自己情報登録サービス機能は、サーバコンピュータにプログラムを実行させることにより実現することができる。
一方、移動機２Ａ〜２Ｃの通信相手ユーザの自己情報登録サービス機能は、移動機の制御部（図９の１５６）内にあるＣＰＵに制御プログラムを実行させることにより実現することができる。
ＪＡＶＡ（登録商標）対応の移動機であれば、予め組み込まれている制御プログラムでは通信相手ユーザの自己情報登録サービス機能を実現できないものでも、その後に、このサービス機能を有するＪＡＶＡ（登録商標）アプリケーションプログラムをダウンロードやインストールすることによって実現できる。
【００６２】
ユーザが、第３世代携帯電話サービス（３ＧＰＰ）で規格化されたＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）のようなカードを移動機に挿入し、同じ電話番号で複数の移動機を使う場合には、このカードに通信相手の電話番号および個人情報を記憶できるので、同じメモリダイヤル情報と発信履歴情報、着信履歴情報を使用可能となり、複数の移動機へのメモリダイヤル情報の入力操作が省力化される。
上述した説明では、一国内の携帯電話ネットワークに適用した場合について説明した。これに対し、国際携帯電話ネットワークに適用することもできる。
この場合、ネットワークの各所に、図１，図５に示したような携帯電話ネットワークがある場合、これらの携帯電話ネットワーク間を接続し、国際ダイヤル番号付加、翻訳、禁則文字変換などの機能を持つ相互接続ノードを設ければ、全世界的に、言語および文字の壁を越えて、通信相手ユーザの自己情報を収集し、データベース化することができる。
【００６３】
上述した説明では、通信ネットワークとして、携帯電話ネットワークを説明した。この他、ＰＨＳ（Ｐｅｒｓｏｎａｌ  Ｈａｎｄｙ−ｐｈｏｎｅ  Ｓｙｓｔｅｍ）、加入者電話（固定電話）ネットワークなど、電話番号を用いてユーザを選択する通信ネットワークに適用することができる。
また、ＰＤＡ（Ｐｅｒｓｏｎａｌ  Ｄｉｇｉｔａｌ  Ａｓｓｉｓｔａｎｔ）、パーソナルコンピュータなどの通信端末がネットワークを介して相互接続された、インターネットやＬＡＮ（Ｌｏｃａｌ  Ａｒｅａ  Ｎｅｔｗｏｒｋ）などにおいて、電話番号以外のユーザ選択情報、例えばメールアドレスを用いて、通信相手ユーザの個人情報を収集し、ネットワーク側のサーバに設けた自己情報管理ノードのデータベース、ひいては、通信端末のデータベースに登録することもできる。
【００６４】
【発明の効果】
上述した説明から明らかなように、本発明によれば、自己情報のデータベースを構築する際に、ユーザは、従来のメモリダイヤル機能のような、多数の通信相手ユーザの自己情報を手入力する必要がなくなり、入力操作が省力化されるという効果がある。その際、通信相手ユーザのプライバシーを尊重した収集が行われるという効果がある。
ユーザは、携帯電話等の通信端末の故障、紛失、盗難などで通信相手ユーザの自己情報を紛失した場合においても、ネットワーク側の自己情報管理ノードに記憶されている通信相手ユーザの自己情報を入手して容易に復活させることができるという効果がある。
【図面の簡単な説明】
【図１】本発明の第１の実施形態を説明するための、通信相手ユーザの自己情報登録システムの構成図である。
【図２】図１に示した第１の実施形態の動作を説明するフローチャートである。
【図３】図２に示したフローチャートにおける、自己情報管理ノードのメモリダイヤルデータベース作成の動作を説明するフローチャートである。
【図４】図１に示したメモリダイヤルリストＡ，Ｂの具体例、および、自己情報の一例を示す説明図である。
【図５】本発明の第２の実施形態を説明するための通信相手ユーザの自己情報登録システムの構成図である。
【図６】図５に示した第２の実施形態の動作を説明するフローチャートである。
【図７】図６に示したフローチャートにおける、自己情報管理ノード３のメモリダイヤルデータベース作成の動作を説明するフローチャートである。
【図８】図５に示した着信履歴リストＡ，Ｂおよび発信履歴リストＡ，Ｂの具体例を示す説明図である。
【図９】移動機のハードウエア構成の一例を説明するためのブロック構成図である。
【図１０】メモリ管理ノードを有する携帯電話ネットワークの構成図である。
【符号の説明】
１…携帯電話ネットワーク１、２…ユーザＡ〜Ｃの移動機２Ａ〜２Ｃ、３…自己情報管理ノード、４…顧客情報管理ノード
【図１】
2004274658.tif 000003
【図２】
2004274658.tif 000004
【図３】
2004274658.tif 000005
【図４】
2004274658.tif 000006
【図５】
2004274658.tif 000007
【図６】
2004274658.tif 000008
【図７】
2004274658.tif 000009
【図８】
2004274658.tif 000010
【図９】
2004274658.tif 000011
【図１０】
2004274658.tif 000012